(57)【要約】【課題】  親機に記憶されている端末名称リストの仕様と、増設する子機の表示部の表示仕様とが、異なる場合でも、子機の表示部に正しく端末名称が表示されるコードレス電話機を提供する。【解決手段】  コードレス電話機において、親機は、親機制御部と、端末名称リストを記憶する記憶部と、記憶部の記憶部仕様情報を送信する送信部と、子機が有する表示部の表示部仕様情報を受信する受信部と、を有し、子機は表示部仕様情報を送信する送信部を有し、親機制御部は、記憶部仕様情報が漢字情報を記憶ができない仕様の場合、又は表示部仕様情報が漢字表示できない仕様の場合は、端末名称リストを漢字表示ではない情報として記憶するよう制御し、記憶部仕様情報が漢字情報を記憶可能な仕様の場合、かつ表示部仕様情報が漢字表示可能な仕様の場合は、端末名称リスト情報を漢字表示可能な情報として記憶するよう制御する、ことを特徴とする。【選択図】図１１
2020010218.tif 000002
【特許請求の範囲】
【請求項１】
親機と、１または複数の子機とが、無線接続可能なコードレス電話機において、
前記親機は、
親機制御部と、
前記親機、及び前記親機と接続可能な前記子機の、名称のリストに関する情報である名称リスト情報を記憶する記憶部と、
前記記憶部の記憶仕様に関する情報である記憶部仕様情報を送信する親機送信部と、
前記子機が有する表示部の表示仕様に関する情報である表示部仕様情報を受信する親機受信部と、
を、有し、
前記子機は、
前記表示部仕様情報を送信する子機送信部、
を、有し、
前記親機制御部は、
前記記憶部仕様情報が漢字情報を記憶ができない仕様の場合、又は前記表示部仕様情報が漢字表示できない仕様の場合は、前記名称リスト情報を漢字表示ではない情報として記憶するよう前記記憶部を制御し、
前記記憶部仕様情報が漢字情報を記憶可能な仕様の場合、かつ前記表示部仕様情報が漢字表示可能な仕様の場合は、前記名称リスト情報を漢字表示可能な情報として記憶するよう前記記憶部を制御する、
ことを特徴とするコードレス電話機。
【請求項２】
前記子機は、
子機制御部と、
前記親機の記憶部仕様情報を受信する子機受信部と、
を、さらに有し、
前記子機制御部は、
前記記憶部仕様情報が漢字情報を記憶ができない仕様の場合、又は前記表示部仕様情報が漢字表示できない仕様の場合は、前記子機の名称を漢字表示ではない情報として表示するよう前記表示部を制御し、
前記記憶部仕様情報が漢字情報を記憶可能な仕様の場合、かつ前記表示部仕様情報が漢字表示可能な仕様の場合は、前記子機の名称を漢字表示情報として表示するよう前記表示部を制御する、
ことを特徴とする請求項１記載のコードレス電話機。
【請求項３】
前記表示部に表示する、前記親機の名称、及び前記子機の名称は、前記名称リスト情報に基づくことを特徴とする請求項１または２記載のコードレス電話機。
【請求項４】
前記記憶部仕様情報の送受信、及び前記表示部仕様情報の送受信は、前記親機と前記子機とを最初に無線接続するときに行われることを特徴とする請求項１から３いずれかに記載のコードレス電話機。
【請求項５】
前記記憶部仕様情報が漢字情報を記憶可能な仕様であって、前記親機に接続された前記子機の前記表示部仕様情報が漢字表示できない仕様の場合は、前記親機制御部は前記記憶部に記憶している前記名称リストを漢字表示ではない情報に書き換えることを特徴とする請求項４記載のコードレス電話機。
【請求項６】
前記名称リスト情報が漢字表示ではない情報に書き換えられた場合、前記親機制御部は、前記記憶部仕様情報を、前記記憶部が漢字情報を記憶できない仕様に書き換えることを特徴とする請求項５記載のコードレス電話機。
【請求項７】
親機と、１または複数の子機とが、無線接続可能なコードレス電話機において、
前記親機において、
前記親機、及び前記親機と接続可能な前記子機の、名称のリストに関する情報である名称リスト情報を記憶部が記憶するステップと、
親機送信部が前記記憶部の記憶仕様に関する情報である記憶部仕様情報を送信するステップと、
親機受信部が前記子機が有する表示部の表示仕様に関する情報である表示部仕様情報を受信するステップと、
が実行され、
前記子機において、
子機送信部が前記表示部仕様情報を送信するステップが実行され、
前記親機において、
親機制御部が、
前記記憶部仕様情報が漢字情報を記憶ができない仕様の場合、又は前記表示部仕様情報が漢字表示できない仕様の場合は、前記名称リスト情報を漢字表示ではない情報として記憶するよう前記記憶部を制御し、
前記記憶部仕様情報が漢字情報を記憶可能な仕様の場合、かつ前記表示部仕様情報が漢字表示可能な仕様の場合は、前記名称リスト情報を漢字表示可能な情報として記憶するよう前記記憶部を制御するステップと、が実行される
ことを特徴とするコードレス電話機の制御方法。
【発明の詳細な説明】
【技術分野】
【０００１】
本発明は、コードレス電話機に関する。
【背景技術】
【０００２】
親機と子機とが無線接続されるコードレス電話機では、親機に端末名称リストが記憶される技術が知られている。端末名称リストには、親機と複数の子機の名称と、端末番号が記憶されている。子機は着信した内線の発信元の名称を、親機に記憶されている端末名称リストから取得し、子機の表示部に表示する。
【先行技術文献】
【特許文献】
【０００３】
【特許文献１】特開２００２−３３８１７号公報
【発明の概要】
【発明が解決しようとする課題】
【０００４】
コードレス電話機は、公衆電話回線に接続される親機と、親機に無線接続される子機と、で構成される。親機には複数台の子機を接続することが可能であり、親機から子機、子機から親機、及び子機から別の子機へ内線通話を行うことができる。各端末の名称や端末番号は、通常親機に記憶され管理される。端末番号は、例えば親機には０（ゼロ）、接続される子機には順番に、１、２、３・・・と割り振られる。
【０００５】
子機には表示部が配置され、内線がどの端末から着信したかを表示することができる。子機が、親機からの内線を着信したときは、親機の端末名称と端末番号とを親機から受信し、表示する。また、子機から別の子機へ内線を発信する場合は、着信した子機は、発信した子機の端末名称と端末番号とを親機から受信し、表示する。子機は自機の名称や端末番号を、非通話時の待ち受け画面に表示することもできる。
【０００６】
ユーザーは、コードレス電話機に子機を増設することができる。増設する子機は、通常ユーザーが既に所有しているコードレス電話機（親機と子機）と、同一仕様である。しかし、ユーザーがコードレス電話機を買い替えた場合、古いコードレス電話機の子機を、新しいコードレス電話機に接続し、子機の数を増やすことができると便利である。
【０００７】
古いコードレス電話機の子機でも、通信規格（例えばＤＥＣＴ：Digital Enhanced Cordless Telecommunications）が同じであれば、新しいコードレス電話機に増設できることが多い。しかし、親機に記憶されている端末名称リストの仕様と、子機の表示部の表示仕様が異なる場合がある。例えば親機が漢字データによる端末名称リストを記憶しており、増設した子機の表示部がカナ表示仕様の場合である。この場合、子機が親機から端末名称リストからデータを取得し、子機に表示すると、正常に表示できない所謂「文字化け」の状態や、表示そのものができないという不具合が生じてしまう。
【０００８】
本発明は、上記問題点に鑑みてなされたものであり、親機に記憶されている端末名称リストの仕様と、増設する子機の表示部の表示仕様とが異なる場合でも、子機の表示部に正しく端末名称が表示されるコードレス電話機を提供することを課題とする。
【課題を解決するための手段】
【０００９】
本発明のコードレス電話機は、親機と、１または複数の子機とが、無線接続可能なコードレス電話機において、前記親機は、親機制御部と、前記親機、及び前記親機と接続可能な前記子機の、名称のリストに関する情報である名称リスト情報を記憶する記憶部と、前記記憶部の記憶仕様に関する情報である記憶部仕様情報を送信する親機送信部と、前記子機が有する表示部の表示仕様に関する情報である表示部仕様情報を受信する親機受信部と、
を、有し、前記子機は、前記表示部仕様情報を送信する子機送信部、を、有し、前記親機制御部は、前記記憶部仕様情報が漢字情報を記憶ができない仕様の場合、又は前記表示部仕様情報が漢字表示できない仕様の場合は、前記名称リスト情報を漢字表示ではない情報として記憶するよう前記記憶部を制御し、前記記憶部仕様情報が漢字情報を記憶可能な仕様の場合、かつ前記表示部仕様情報が漢字表示可能な仕様の場合は、前記名称リスト情報を漢字表示可能な情報として記憶するよう前記記憶部を制御する、ことを特徴とする。
【００１０】
本発明のコードレス電話機の制御方法は、親機と、１または複数の子機とが、無線接続可能なコードレス電話機において、前記親機において、前記親機、及び前記親機と接続可能な前記子機の、名称のリストに関する情報である名称リスト情報を記憶部が記憶するステップと、親機送信部が前記記憶部の記憶仕様に関する情報である記憶部仕様情報を送信するステップと、親機受信部が前記子機が有する表示部の表示仕様に関する情報である表示部仕様情報を受信するステップと、が実行され、前記子機において、子機送信部が前記表示部仕様情報を送信するステップが実行され、前記親機において、親機制御部が、前記記憶部仕様情報が漢字情報を記憶ができない仕様の場合、又は前記表示部仕様情報が漢字表示できない仕様の場合は、前記名称リスト情報を漢字表示ではない情報として記憶するよう前記記憶部を制御し、前記記憶部仕様情報が漢字情報を記憶可能な仕様の場合、かつ前記表示部仕様情報が漢字表示可能な仕様の場合は、前記名称リスト情報を漢字表示可能な情報として記憶するよう前記記憶部を制御するステップと、が実行されることを特徴とする。
【発明の効果】
【００１１】
本発明によれば、親機に記憶されている端末名称リストの仕様と、増設する子機の表示部の表示仕様とが、異なる場合でも、子機の表示部に正しく端末名称が表示されるコードレス電話機を提供することができる。
【図面の簡単な説明】
【００１２】
【図１】本発明の実施形態に係るコードレス電話機の親機の外観の一例を示す図である。
【図２】本発明の実施形態に係るコードレス電話機の子機の外観の一例を示す図である。
【図３】本発明の実施形態に係る、親機に３台の子機を無線接続したコードレス電話機を示す図である。
【図４】本発明の実施形態に係るコードレス電話機の構成の一例を示すブロック図である。
【図５】従来のコードレス電話機の動作の一例を示すシーケンス図である。
【図６】従来のコードレス電話機の動作の一例を示すシーケンス図である。
【図７】従来のコードレス電話機の動作の一例を示す図である。
【図８】本発明の実施形態に係るコードレス電話機の動作の一例を示すシーケンス図である。
【図９】本発明の実施形態に係るコードレス電話機の動作の一例を示す図である。
【図１０】本発明の実施形態に係るコードレス電話機の動作の一例を示すシーケンス図である。
【図１１】本発明の実施形態に係るコードレス電話機の動作の一例を示す図である。
【発明を実施するための形態】
【００１３】
以下、本発明のコードレス電話機に係る実施形態について説明する。なお、以下の実施形態では、複数の子機の内、１台の子機は親機に載置可能で親機の送受話器として機能し、他の子機は親機とは別に、充電台などに載置される形態を例にとって説明する。しかし、これに限るものではなく、例えば、親機と送受話器とが有線接続され、親機と他の子機とが無線接続されるコードレス電話機でも本発明は適用可能である。
【００１４】
図１は、本発明の実施形態に係るコードレス電話機１の親機２の外観を示す図である。図１に示すように親機２は、送受話器の役割を果たす子機を載置するクレイドル３を有する。図１では、この子機を取り外した状態を示している。親機２には、呼び出し音等の放音や、オンフック通話時に用いるスピーカー４、ダイヤル操作や各種操作を行う操作部６、内線通話を行うときに操作する内線ボタン５、ダイヤルした番号、公衆電話回線からの着信の発信元の電話番号、子機から内線が着信したとき、子機の端末名称や端末番号などの、各種表示を行う表示部７を有する。なお、他にも色々な機能の操作ボタンを有するが、説明を省略する。
【００１５】
図２（ａ）は、本発明に係るコードレス電話機１の子機１０の外観を示す図である。子機１０は、各種情報を表示する表示部１２を有する。表示部１２（表示部）には、ダイヤルした番号、公衆電話回線からの着信の発信元の電話番号、親機２や他の子機からの内線が着信したとき、発信元の端末名称や端末番号などが表示される。さらに、子機１０は、受話口１１、送話口１４、ダイヤル等の各種操作を行う操作部１３、内線通話の発信を行う内線ボタン１５を有する。子機１０は、未使用時には親機２のクレイドル３に載置され、非接触給電で親機２から充電することができる。
【００１６】
親機２に載置されない子機１０は、親機２とは独立して、例えば別の部屋などに設置される。そのため、子機１０が使用されない時は、図２（ｂ）の様に充電台１６に載置される。
【００１７】
図３は、親機２に３台の子機１０を無線接続したコードレス電話機１を示す図である。端末名称「子機（１）」の子機１０は、未使用時は親機２のクレイドル３に載置され、親機２の使用時には、取り外され親機２の送受話器として機能する。端末名称「子機（２）」、及び「子機（３）」の子機１０は、親機２とは別の部屋に設置され親機２と無線接続される。以下の説明では、親機２と「子機（１）」、及び「子機（２）」によって構成されるコードレス電話機１に、「子機（３）」を新たに増設することを想定して説明する。ただし、子機１０の数はこれに限るものではなく、コードレス電話機１の仕様の許す範囲で増やしても良く、また親機２に、新たな「子機（１）」を接続する場合でも、本発明は適用可能である。
【００１８】
図３の「子機（１）」、「子機（２）」、及び「子機（３）」は、上述の様に端末名称を示している。数字の部分は端末番号である。親機の端末番号を０（ゼロ）とし、「子機（１）」、「子機（２）」、「子機（３）」の端末番号は、それぞれ１、２、３である。親機２は１台しかないので、端末名称「親機」には、端末番号が含まれない。コードレス電話機１のシステム（親機２と子機１０）内において、内線電話を発信するときは、この端末番号だけで、相手の端末を指定できる。例えば、「子機（１）」から親機２に発信する場合は、０（ゼロ）で指定する。ただし、ユーザーは端末番号を覚える必要があるため、不便である。そこで、端末番号と合わせて端末の名称も記憶されている。
【００１９】
上述の端末名称「親機」、「子機（１）」、「子機（２）」、及び「子機（３）」は、工場出荷時に設定されている。この端末名称はユーザーが任意に設定することが可能であり、例えば「寝室」、「リビング」などと設定できる。端末名称には端末番号を、含んでも含まなくても良い。これらの端末名称と端末番号とを対応させた端末名称リスト（名称リスト情報）は、親機２の不揮発性メモリ２５（記憶部）に記憶されている。各子機１０は端末名称リストを記憶しておらず、必要に応じてその都度、親機２の端末名称リストを参照する。この理由は、ユーザーが端末名称を各端末で変更することができるため、端末名称リストを１つにして管理しないと、端末名称の食い違いが生じてしまうためである。
【００２０】
図４は、本発明の実施形態に係るコードレス電話機１の構成を示すブロック図である。親機２は主制御部２０（親機制御部）と、ＲＡＭ(Random Access Memory)２４と、不揮発性メモリ２５と、公衆回線制御部２７と、表示部７と、操作部６と、無線部２３と、を備える。また、呼び出し音などを放音するスピーカー４や、スピーカー２９と共にオンフック通話に用いるマイク２８も有している。
【００２１】
主制御部２０は、不揮発性メモリ２５に記憶されている制御プログラムに従って、親機２を構成する各部を制御する。不揮発性メモリ２５は、制御プログラム等を記憶している。また、不揮発性メモリ２５は、端末名称リストなども記憶している。ＲＡＭ２４は、主制御部２０の主メモリとして機能する。公衆回線制御部２７は公衆回線２６と接続し、外部の電話機等と通信を行う。表示部７は、液晶表示装置等からなる。
【００２２】
操作部６は、ダイヤル操作を行うダイヤルボタンや、コードレス電話機１のシステム内での内線の送信を行う内線ボタン５等を含む。
【００２３】
またコードレス電話機１の子機１０は、主制御部３０（子機制御部）と、ＲＡＭ(Random Access Memory)３４と、不揮発性メモリ３５と、表示部１２と、操作部１３と、無線部３３と、送話口１４を構成するマイク３６と、受話口１１を構成するスピーカー３７と、を備える。
【００２４】
主制御部３０は、不揮発性メモリ３５に記憶されている制御プログラムに従って、子機１０を構成する各部を制御する。不揮発性メモリ３５は、制御プログラム等を記憶している。また、不揮発性メモリ３５は、自機の端末番号や端末名称なども記憶している。ＲＡＭ３４は、主制御部３０の主メモリとして機能する。表示部１２は、例えば、ダイヤルした番号や、自機の端末番号や端末名称、さらに着信した時、発信元の外線番号や内線番号などを表示する。操作部１３は、ダイヤルボタンや、コードレス電話機１のシステム内での内線通話の発信を行う内線ボタン１５等を含む。
【００２５】
親機２と子機１０との無線による接続は、無線部２３（親機送信部、及び親機受信部）と、無線部３３（子機送信部、及び子機受信部）とを、介して行われる。無線通信はＤＥＣＴ規格に準拠して行われることが多いが、本発明はＤＥＣＴ規格以外の通信規格でも、実施可能である。なお、図４では、親機２に対して、ひとつの子機１０となっているが、同様の構成を有する子機１０を更に増設しても、同様のブロック図となる。
【００２６】
次に従来のコードレス電話機に、子機を新たに増設するときの動作を、図５のシーケンス図を用いて説明する。左側の縦線が親機の動作、右側の縦線が新たに増設された子機の動作を示す。シーケンス図は上から下に向かって進行する。以下のシーケンス図でも同様である。なお、従来のコードレス電話機と、本発明の実施形態に係るコードレス電話機１と、において、ハードウェア構成は、同じである。すなわち、従来のコードレス電話機のハードウェア構成は、図４に示すハードウェア構成である。
【００２７】
従来のコードレス電話機において、親機の不揮発性メモリに記憶されている端末名称リストの仕様（記憶部仕様情報）が、漢字データを記憶できる仕様となっているとする。また増設される子機の表示部には、内線でどの端末から着信があったかが表示される。この表示部の表示能力の仕様（表示部仕様情報）は、漢字を表示できるとする。
【００２８】
ユーザーは最初に親機の操作部を操作し、子機を増設する増設モードにする。次に、ユーザーは、子機の操作部を操作し、子機を増設モードにする。無線通信により親機と子機とが、お互いを発見し、増設動作が開始される。最初に親機は親機ＩＤを子機に送信する。子機は子機ＩＤを親機に返す。このＩＤは、予め各端末に定められている１０桁程度の数字やアルファベット等による文字列である。このＩＤのやり取りによって、親機は、接続されている端末の数を認識することができる。親機は接続されている端末数から増設する子機の端末番号を決定し、端末番号を子機に送信する。子機は、自機の端末番号を記憶し、端末番号を受領した旨の通知を親機に行う。
【００２９】
増設された子機は、親機から通知された端末番号（この場合は「３」）に基づき、自機の端末名称を生成する。子機は漢字表示可能な仕様であるため、例えば「子機（３）」と生成される。生成された端末名称は、表示用の名称として子機の不揮発性メモリに記憶される。記憶された端末名称は、非通話時の子機の待ち受け画面に、自機の名称として表示される。待ち受け画面に表示する端末名称は、親機が記憶する端末名称リストから読み込んでも良いが、増設直後は表示速度を上げるために、子機の内部で生成している。
【００３０】
親機は、子機から端末番号受領確認の通知を受けた後、子機の端末名称を生成する。親機の端末名称リストは、漢字データを記憶することが可能な仕様であるので、例えば「子機（３）」と漢字で生成する。生成した子機１０の名称は、端末名称リストに追加される。以上で増設作業は完了する。
【００３１】
図７（ａ）に、増設作業完了後に、親機に記憶されている端末名称リストと、増設された子機の表示部に表示される自機の端末名称を示す。親機の端末名称リストは漢字データ記憶可能な仕様、子機の表示部の表示仕様は漢字表示可能な仕様となっているため、いずれも漢字の端末名称が記憶されている。
【００３２】
次に、親機の端末名称リストの仕様と、増設される子機の表示仕様が異なる場合について説明する。図６では、親機の端末名称リストは漢字データを記憶することが可能な仕様であるとする。これに対し、増設する子機の表示部は、カナ表示しかできない仕様であるとする。
【００３３】
図５と同様にＩＤのやり取りと、端末番号の通知が行われた後、子機は、自機の端末名称を生成する。子機の表示部の表示仕様はカナ表示なので、生成される端末名称はカナになり、例えば「コキ(3)」である。これに対し親機で生成される子機の端末名称は漢字であり、例えば「子機（３）」である。
【００３４】
図７（ｂ）に増設作業完了後に、親機に記憶されている端末名称リストと、増設された子機の表示部に表示される自機の端末名称を示す。親機の端末名称リストは漢字であるが、増設された子機は、表示部の表示仕様がカナなので、カナ名称が記憶されている。
【００３５】
ここで、親機から増設された子機に内線を発信する場合を考える。図５及び図７（ａ）の場合、増設直後の子機の表示部の表示は、図５のシーケンス図の様に、子機で生成された自機の端末名称が、待ち受け画面に表示されている。親機の内線ボタンを押下すると、親機の表示部に、図７（ａ）の様な、端末名称リストの様なリストが表示される（ただし、親機の名称と端末番号は表示されない）。操作部の操作により、増設された「子機（３）」を選択し内線発信する。内線を着信した子機は、親機に記憶されている端末名称リストから、内線の発信元の端末名称を読み込む。子機の表示部に発信元名称である「親機」が表示される。
【００３６】
しかし、図６及び図７（ｂ）の場合、親機の端末名称リストの仕様と、子機の表示仕様とが異なっている。同様に親機から子機へ内線発信した場合、子機が親機から読み込む内線の発信元情報は漢字表示の「親機」であるため、子機の表示部では正しく表示されず、文字化けや、表示されないという不具合が生じる。
【００３７】
親機の端末名称リストの仕様がカナで、子機の表示部の表示仕様が漢字の場合は、同様に内線発信した場合、子機は親機のカナの端末名称リストを読み込み、漢字表示可能な表示部にカナ表示するので、文字化け等は生じない。しかし、子機増設直後は、子機で生成した漢字の自機名称が待ち受け画面に表示されている。親機からの内線を着信した後、自機名称がカナ表示になるため、ユーザーは違和感をもつ場合がある。
【００３８】
内線を子機から親機に対して発信する場合も、同様に親機の端末名称リストの仕様と、子機の表示部の表示仕様が一致していない場合は、上述の様な不具合が生じる。さらに、子機から別の子機に内線を発信する場合も、着信した子機は親機の端末名称リストを読み込むため、同様の不具合が生じる。
【００３９】
なお、親機の端末名称リストの仕様がカナで、子機の表示部の表示仕様もカナの場合は、図５及び図７（ａ）の場合と同様に、文字化けは生じない。
【００４０】
次に、図８のシーケンス図を参照して、本発明のコードレス電話機１の動作を説明する。図８では、親機２の端末名称リストが漢字データを記憶可能な仕様、増設する子機１０の表示部１２がカナ表示可能な仕様の場合を説明する。親機２と子機１０の間でＩＤを交換するところまでは、従来技術と同様である。ＩＤ交換後、親機２は子機１０へ、親機２が「漢字モデル」即ち、端末名称リストが漢字データを記憶可能な仕様であることを通知する。また、親機２は端末番号も通知する。これに対し子機１０は、子機１０が「カナモデル」即ち表示部１２がカナ表示可能な仕様（漢字表示できない仕様）であることを通知する。
【００４１】
ここで、「漢字モデル」か「カナモデル」か、を示す情報を「モデル情報」と定義する。親機２の場合、記憶している端末名称リストが「漢字」データで記憶されている場合が「漢字モデル」、「カナ」で記憶されている場合が「カナモデル」である。親機２は、漢字データを記憶可能な仕様であっても、後述の様に過去の子機１０増設により、端末名称データが「カナ」に変換されている場合もある。この状態を親機２が「カナモデル」として振る舞う、と定義する。以下「カナモデル」と、「カナモデル」として振る舞っている親機２を、「カナモデル」と定義する。
【００４２】
「カナモデル」の通知を受けた親機２は、親機２に記憶されている端末名称リストをカナで初期化する。これは、増設前の「漢字モデル」の端末名称リストを、「カナモデル」の端末名称リストに変換することであり、漢字で記憶されていた端末名称は、カナに変換される。即ち、親機２は「カナモデル」として振る舞う状態となる。増設前の端末名称リストがカナの場合は、この初期化は必要ない。親機２では増設された子機１０の名称を、例えば「コキ(3)」として、端末名称リストに登録する。
【００４３】
子機１０は、自機の名称をカナで、例えば「コキ(3)」と生成し、これを子機１０の表示用の名称として登録する。
【００４４】
この動作によって、親機２の端末名称リストと子機１０の表示部１２の仕様は、ともにカナで統一されるため、内線通話によって端末名称のやり取りを行っても、文字化けが生じることはなくなる。
【００４５】
図９に、図８のシーケンス図の動作における、親機２に記憶される端末名称リストと、増設される子機１０の表示部１２の表示を示す。子機１０を増設する前の、親機２の端末名称リストが漢字データだったとする。図９（ａ）は子機１０を増設する前の、端末名称リストを示す。子機１０から「カナモデル」であることの通知を受けると、親機２は端末名称リストを図９（ｂ）の様にカナに変換する。子機１０は自機の表示用名称をカナで登録する。親機２は、増設された子機１０の端末名称をカナで生成し、図９（ｃ）の様に登録する。
【００４６】
図１０は、親機２の端末名称リストがカナデータを記憶しており（「カナモデル」として振る舞っている）、増設する子機１０の表示部１２の表示仕様が漢字の場合である。親機２から子機１０へは「カナモデル」の通知、子機１０から親機へは「漢字モデル」の通知が行われる。子機１０の表示部１２は漢字表示が可能であるが、親機２から「カナモデル」の通知を受けたので、自機の端末名称をカナで生成する。例えば「コキ(3)」と生成し、表示用名称として登録する。親機２は、子機１０の端末名称をカナで生成し、例えば「コキ(3)」として端末名称リストに登録する。増設された子機１０は漢字表示可能であるが、登録直後の待ち受け画面は、最初から自機名称がカナで表示される。内線通話を行うことによって、待ち受け画面で自機の端末名称が漢字からカナに変わってしまうことはなくなるので、ユーザーが違和感を受けることはない。
【００４７】
図１１は、以上の動作をまとめたフローチャートである。親機２のフローと増設される子機１０のフローとが並行に進行し、相互に情報のやり取りが行われる。
【００４８】
ユーザーは、親機２で増設操作を行い、増設操作を検出した親機２は、増設を開始する（Ｓ１：Yes）。ユーザーは、子機１０でも増設操作を行い、増設操作を検出した子機１０は、増設を開始する（Ｓ１６：Yes）。親機２と子機１０との間で、ＩＤの交換が行われる（Ｓ２、Ｓ３、Ｓ１７、Ｓ１８）。親機２から親機２の「モデル情報」が送信され（Ｓ４）、子機１０はこれを受信する（Ｓ１９）。更に端末番号も同様に送受信される（Ｓ５、Ｓ２０）。そして、子機１０から子機１０の「モデル情報」が親機２に送信され（Ｓ２１）、親機２はこれを受信する（Ｓ６）。なお、親機「モデル情報」送受信、端末番号送受信、子機「モデル情報」送受信は、この順番に限るものではない。また、各情報を受領した旨を通知する信号を送信しても良い。
【００４９】
親機２は、親機２と子機１０の、それぞれの「モデル情報」に基づき、親機２、子機１０のいずれかが「カナモデル」であるか否かを判定する（Ｓ７）。親機２と子機１０の両方とも「漢字モデル」であった場合（Ｓ７：No）は、親機２は、増設した子機１０の名称を漢字で生成する（Ｓ１２）。生成された子機１０の端末名称は、端末名称リストに漢字データで登録される（Ｓ１１）。
【００５０】
親機２と子機１０のいずれかが「カナモデル」又は、両方が「カナモデル」の場合（Ｓ７：Yes）、増設された子機１０の端末名称をカナで生成する（Ｓ８）。親機２の端末名称リストが、カナデータで記憶されている仕様の場合は（Ｓ９：Yes）、親機２は、そのまま端末名称リストに登録する（Ｓ１１）。親機２の端末名称リストが漢字データで記憶されている場合（Ｓ９：No）は、親機２は、端末名称リストをカナに変換し（Ｓ１０）、子機１０の端末名称リストに登録する（Ｓ１１）。
【００５１】
増設された子機１０は、同様に親機２と子機１０の双方が「漢字モデル」の場合は（Ｓ２２：No）、自機の端末名称を漢字で生成し（Ｓ２５）、子機１０の表示用名称に登録する（Ｓ２４）。親機２と子機１０とのいずれかが「カナモデル」、又は両方が「カナモデル」の場合は（Ｓ２２：Yes）、子機１０は、自機の端末名称をカナで生成し（Ｓ２３）、子機１０の表示用名称に登録する（Ｓ２４）。
【００５２】
これによって、親機２の端末名称リストに記憶されるデータの仕様と、増設された子機１０の表示部１２の表示仕様とが異なっている場合でも、内線通話時の子機１０の表示が文字化け等することを防止することができる。
【００５３】
（変形例１）
親機２が「漢字モデル」の場合は、親機２に記憶されている端末名称リストは、漢字データを記憶可能な仕様である。しかし、過去に、子機１０の増設を行った場合は、必ずしも漢字データが記憶されているとは限らない。
【００５４】
端末名称リストを漢字で記憶可能な親機２に、表示部１２の表示仕様がカナである子機１０を増設すると、上述の様に端末名称リストはカナデータで記憶する仕様に変更される。この場合、親機２は、性能上は「漢字モデル」であるにもかかわらず、「カナモデル」として振る舞う。図１１のフローチャートで、親機モデル情報送信（Ｓ４）では、「カナモデル」というモデル情報が送信される。このあと、さらに子機１０を増設する場合は、増設する子機１０表示仕様が「漢字モデル」、「カナモデル」に関わらず、親機２は「カナモデル」として振る舞っているので、子機２の名称はカナで生成される（Ｓ８）。
【００５５】
ここで、「カナモデル」として振る舞うように変更された親機２から、子機１０の接続を全て解除する場合を考える。接続が解除されるので、親機２の端末名称リストは、端末番号０（ゼロ）と、端末名称「オヤキ」のみが記憶されている状態となる。この後、漢字表示可能な表示仕様の新たな子機１０を増設するとする。親機２は「カナモデル」として振る舞っているが、記憶部の性能としては「漢字モデル」なので、新たな子機１０の表示仕様に合わせて、親機２も「漢字モデル」と振る舞うようにしても良い。この動作は、例えば子機１０の接続を解除した時は、親機２の端末名称リストを、工場出荷時の状態にリセットすることで実現できる。
【００５６】
（変形例２）
漢字データを記憶できる親機２に、複数の子機１０が接続された状態で、子機１０に「漢字モデル」と「カナモデル」が混在する状態を考える。この状態では親機２は「カナモデル」として振る舞っている。「カナモデル」の子機１０だけ接続を解除する場合は、親機２は「漢字モデル」として振る舞うようにしても良い。これを実現するには、例えば、「カナモデル」の子機１０の接続を解除する時に、親機２の本来の性能である漢字データ記憶可能であることの情報を、親機２と子機１０との間で送受信すればよい。
【００５７】
（変形例３）
本発明は、親機２の表示部７の表示性能仕様は関係しない。親機２が「漢字モデル」の場合は、通常表示部７の表示性能は漢字表示可能であることが多い。しかし、表示性能がカナであっても、同様に実施できる。漢字データで記憶されている端末名称リストから読み取ったデータを、カナに変換して表示部７に表示する。さらに、表示部７は、数字のみが表示可能な表示仕様でもよい。この場合は、端末名称に対応する端末番号を表示すればよい。
【００５８】
以上説明したように、本実施形態のコードレス電話機１の親機２は、主制御部２０と、親機２と子機１０の名称リスト情報を記憶する記憶部と、記憶部の記憶部仕様情報を送信する親機送信部と、子機１０が有する表示部１２の表示部仕様情報を受信する親機受信部とを有し、子機１０は、表示部仕様情報を送信する子機送信部を有する。主制御部２０は記憶部仕様情報が漢字情報を記憶ができない仕様の場合、又は表示部仕様情報が漢字表示できない仕様の場合は、名称リスト情報を漢字表示ではない情報として記憶部を制御し、記憶部仕様情報が漢字情報を記憶可能な仕様の場合、かつ表示部仕様情報が漢字表示可能な仕様の場合は、名称リスト情報を漢字表示可能な情報として記憶するよう制御する。これによって、親機２の名称リスト情報の記憶仕様と、子機１０の表示部１２の表示仕様が一致するため、子機１０を増設した時、子機１０の表示部１２において文字化け等の不具合を防止することができる。
【００５９】
また、本実施形態では、子機１０は主制御部３０と、親機２の記憶部仕様情報を受信する子機受信部をさらに有し、記憶部仕様情報が漢字情報を記憶ができない仕様の場合、又は表示部仕様情報が漢字表示できない仕様の場合は、主制御部３０は子機１０の名称を漢字表示ではない情報として表示するよう表示部１２を制御し、記憶部仕様情報が漢字情報を記憶可能な仕様の場合、かつ表示部仕様情報が漢字表示可能な仕様の場合は、主制御部３０は子機１０の名称を漢字表示情報として表示するよう表示部１２を制御する。これによって、増設した子機１０の待ち受け画面の表示が、親機２と接続した後に変更される違和感を防止することができる。
【００６０】
また、本実施形態では、表示部１２に表示する、親機２の名称、及び子機１０の名称は、親機２に記憶される名称リスト情報に基づく。これによって、子機１０で端末名称を変更する操作を行っても、コードレス電話機１のシステム内において、端末名称が食い違うことを防止できる。
【００６１】
また、本実施形態では、記憶部仕様情報の送受信、及び表示部仕様情報の送受信は、親機２と子機１０とを最初に無線接続するときに行われる。これによって、子機１０を増設した時のみ、本発明の処理が行われるため、不要な通信による電力の無駄を防止できる。
【００６２】
また、本実施形態では、記憶部仕様情報が漢字情報を記憶可能な仕様であって、親機２に接続された子機１０の表示部仕様情報が漢字表示できない仕様の場合は、主制御部２０は記憶部に記憶している名称リストを漢字表示ではない情報に書き換える。また、名称リスト情報が漢字表示ではない情報に書き換えられた場合、主制御部２０は、記憶部仕様情報を、記憶部が漢字情報を記憶できない仕様に書き換える。これによって、「漢字モデル」の親機２に、「カナモデル」の子機１０を増設した場合、親機２は端末名称リストを漢字表示ではない情報に書き換え、「カナモデル」として振る舞うため、さらに「カナモデル」の子機１０を増設した場合も、文字化け等の不具合を防止できる。
【００６３】
本発明は、上述した実施形態に限られるものではなく、特許請求の範囲及び明細書全体から読み取れる発明の要旨或いは思想に反しない範囲で適宜変更可能であり、そのような変更を伴うコードレス電話機もまた本発明の技術的範囲に含まれる。
【産業上の利用可能性】
【００６４】
本発明は、コードレス電話機に好適に採用され得る。
【符号の説明】
【００６５】
１…コードレス電話機、２…親機、３…クレイドル、４…スピーカー、５…内線ボタン、６…操作部、７…表示部、１０…子機、１１…受話口、１２…表示部、１３…操作部、１４…送話口、１５…内線ボタン、１６…充電台、２０…主制御部、２３…無線部、２４…ＲＡＭ、２５…不揮発性メモリ、２６…公衆回線、２７…公衆回線制御部、２８…マイク、２９…スピーカー、３０…主制御部、３３…無線部、３４…ＲＡＭ、３５…不揮発性メモリ、３６…マイク、３７…スピーカー
【図１】
2020010218.tif 000003
【図２】
2020010218.tif 000004
【図３】
2020010218.tif 000005
【図４】
2020010218.tif 000006
【図５】
2020010218.tif 000007
【図６】
2020010218.tif 000008
【図７】
2020010218.tif 000009
【図８】
2020010218.tif 000010
【図９】
2020010218.tif 000011
【図１０】
2020010218.tif 000012
【図１１】
2020010218.tif 000013